(57)【特許請求の範囲】
【請求項１】
載置された媒体を給送する給送部と、
前記媒体に記録を行う記録ヘッドを備えるとともに、所定方向へ往復動可能なキャリッジと、
少なくとも前記キャリッジの移動方向に延設されるフレームと、
前記給送部において前記媒体の有無を検知する第１センサーと、
前記第１センサーを前記フレームに装着する装着部材と、
前記給送部に設けられるとともに、前記媒体を給送する給送ローラーと、を備え、
前記装着部材は、前記給送ローラーの少なくとも一部を覆うローラーカバーと、前記媒体が前記給送部に載置される際に当該媒体を案内する第１媒体案内部と、を備え、
前記第１センサーは、前記第１媒体案内部において、案内される前記媒体が接触する部位よりも奥まった位置に設けられている、
ことを特徴とする、記録装置。
【請求項２】
請求項１に記載された記録装置において、
前記装着部材は、媒体搬送方向と交差する幅方向において、前記給送ローラーと前記第１センサーとの間を隔てる仕切りを備える、
ことを特徴とする、記録装置。
【請求項３】
請求項１または請求項２に記載された記録装置において、
前記第１センサーは、前記給送部における前記媒体の載置面に位置する第１照射対象部に向けて光を照射する発光手段と、前記発光手段から照射された光の反射光を受光する受光手段を備え、
前記第１照射対象部には、前記発光手段から照射された光の反射光を減少させる反射光軽減手段が設けられている、
ことを特徴とする、記録装置。
【請求項４】
請求項３に記載された記録装置において、
前記反射光軽減手段は、複数のリブによって構成されている、
ことを特徴とする、記録装置。
【請求項５】
請求項３または請求項４に記載された記録装置において、
前記給送部に載置される前記媒体の幅方向の両端位置を規制するとともに、少なくとも一方が前記幅方向に移動可能な一対の媒体規制部と、
前記移動可能な一方の媒体規制部の他方側への移動を規制する移動規制部と、を備え、
前記移動規制部に、前記第１照射対象部が形成されている、
ことを特徴とする、記録装置。
【請求項６】
請求項１に記載された記録装置において、
前記記録装置本体の外観を構成する筐体の上面部側に、前記媒体が前記給送部に載置される際に当該媒体を案内するとともに、前記第１媒体案内部に連なる第２媒体案内部を備えている、
ことを特徴とする、記録装置。
【請求項７】
請求項１から請求項６のいずれか一項に記載された記録装置において、
前記給送部に向けてロール状媒体を挿入可能な挿入部と、
前記挿入部への前記ロール状媒体の挿入の有無を検知する第２センサーと、を備え、
前記第２センサーは、前記挿入部において、媒体経路を挟んで反対側に設けられる第２照射対象部に向けて光を照射する発光手段と、前記発光手段から照射された光の反射光を受光する受光手段を備え、
前記第２照射対象部には、前記発光手段から照射された光の反射光を減少させる反射光軽減手段が設けられている、
ことを特徴とする、記録装置。
【請求項８】
載置された媒体を給送する給送部と、
前記媒体に記録を行う記録ヘッドを備えるとともに、所定方向へ往復動可能なキャリッジと、
少なくとも前記キャリッジの移動方向に延設されるフレームと、
前記給送部において前記媒体の有無を検知する第１センサーと、
前記第１センサーを前記フレームに装着する装着部材と、
前記給送部に設けられるとともに、前記媒体を給送する給送ローラーと、を備え、
前記装着部材は、前記給送ローラーの少なくとも一部を覆うローラーカバーを備え、
前記給送部に向けてロール状媒体を挿入可能な挿入部と、
前記挿入部への前記ロール状媒体の挿入の有無を検知する第２センサーと、を備え、
前記第２センサーは、前記挿入部において、媒体経路を挟んで反対側に設けられる第２照射対象部に向けて光を照射する発光手段と、前記発光手段から照射された光の反射光を受光する受光手段を備え、
前記第２照射対象部には、前記発光手段から照射された光の反射光を減少させる反射光軽減手段が設けられており、
前記第２センサーは前記挿入部における媒体経路の下側に設けられるとともに、前記挿入部は前記媒体経路の上側において前記第２センサーを覆う庇部材を備え、
前記庇部材に前記第２照射対象部が形成されている、
ことを特徴とする、記録装置。
【請求項９】
請求項７または請求項８に記載された記録装置において、
前記挿入部を通らない前記媒体は、前記第２センサーによって検知されないように構成されている、
ことを特徴とする、記録装置。
【発明の詳細な説明】
【技術分野】
【０００１】
本発明は、記録装置に関するものである。
【背景技術】
【０００２】
通常、インクジェットプリンターに代表される記録装置においては、媒体としての用紙を該記録装置の媒体セット部に載置するとともに、当該用紙を給送ローラーにより記録ヘッドの下方に向けて給送して記録を行う。  
このような記録装置において、前記媒体セット部に載置された用紙を検知するセンサーを備えた記録装置がある（特許文献１）。
【先行技術文献】
【特許文献】
【０００３】
【特許文献１】特開２００５−２２１２２号公報
【発明の概要】
【発明が解決しようとする課題】
【０００４】
ここで、特許文献１において前記センサー３０は、給紙ローラー５（前記給送ローラーに相当）の給紙ローラベース１７に取り付けられている。  
このような構成では、給紙ローラー５の動作により振動が生じ、前記センサー３０の検出精度に影響を及ぼす虞がある。
【０００５】
ところで、インクジェットプリンターにおいては、インク滴の極小化により高画質の記録が可能となっているが、インク滴が極小化されたことにより、インクがミストとなって浮遊する場合がある。  
浮遊したインクミストが給送ローラーに付着すると、用紙給送時に用紙を汚染する虞がある。
【０００６】
そこで、本発明の目的は、媒体セット部に載置される媒体をセンサーにより精度よく検出することができる記録装置を提供することにある。また、前記記録装置において、媒体を給送する給送ローラーへのインクミストの付着を抑制することにある。
【課題を解決するための手段】
【０００７】
上記課題を解決するため、本発明の第１の態様に係る記録装置は、載置された媒体を給送する給送部と、前記媒体に記録を行う記録ヘッドを備えるとともに、所定方向へ往復動可能なキャリッジと、少なくとも前記キャリッジの移動方向に延設されるフレームと、前記給送部において前記媒体の有無を検知する第１センサーと、前記第１センサーを前記フレームに装着する装着部材と、前記給送部に設けられるとともに、前記媒体を給送する給送ローラーと、を備え、前記装着部材は、前記給送ローラーの少なくとも一部を覆うローラーカバーを備えている、ことを特徴とするものである。
【０００８】
本態様によれば、前記媒体を検知する第１センサーが、前記装着部材を介して前記フレームに装着されているので、前記第１センサーに対し、前記給送ローラーの動作による振動が伝わり難くい。以って、前記給送ローラーの動作が前記第１センサーの検出精度に影響を与える虞を低減し、前記第１センサーによる媒体検出の確実性を高めることができる。  
加えて、前記装着部材は、前記給送ローラーの少なくとも一部を覆うローラーカバーを備えているので、前記給送ローラーへのインクミストの付着を抑制することができるとともに、部品点数の削減が可能であり、装置のコンパクト化を実現することができる。
【０００９】
本発明の第２の態様に係る記録装置は、第１の態様において、前記装着部材は、前記媒体が前記給送部に載置される際に当該媒体を案内する第１媒体案内部を備えている、ことを特徴とするものである。
【００１０】
本態様によれば、前記装着部材が、前記媒体が前記給送部に載置される際に当該媒体を案内する案内部を兼ねているので、部品点数を削減できるとともに、装置のコンパクト化を実現することができる。
【００１１】
本発明の第３の態様に係る記録装置は、第１の態様または第２の態様において、前記第１センサーは、前記給送部における前記媒体の載置面に位置する第１照射対象部に向けて光を照射する発光手段と、前記発光手段から照射された光の反射光を受光する受光手段を備え、前記第１照射対象部には、前記発光手段から照射された光の反射光を減少させる反射光軽減手段が設けられている、ことを特徴とするものである。
【００１２】
通常、媒体が前記載置面に載置されている場合には、前記発光手段から照射される光は、前記媒体の面で前記光の照射方向のほぼ逆方向に反射し、その反射光が前記受光手段によって受光される。  
一方、媒体が前記載置面に載置されていない場合に、前記発光手段から照射された光の反射光を減少させる反射光軽減手段が設けられた第１照射対象部に向けて光が照射されると、前記受光手段によって受光される受光量は、前記媒体が載置されている場合よりも少なくなる。
【００１３】
本態様によれば、媒体が前記載置面に載置されていない場合に、前記反射光軽減手段によって反射光が低減されるので、前記載置面に媒体がある場合とない場合において、前記受光手段によって受光される受光量に差が生じる構成とすることができる。このことによって、前記第１センサーにより、前記給送部における媒体の有無を検知することができる。  
尚、前記発光手段から照射された光の反射光を減少させる反射光軽減手段の構成としては、第１照射対象部の反射率を前記載置面の他の部分よりも小さくする構成、例えば、第１照射対象部の表面粗さを、前記載置面の他の部分よりも大きく形成することによって実現できる。このことによって、第１照射対象部に対して照射された光を乱反射させ易くすることができ、前記発光手段から照射された光の反射光を減少させることができる。
【００１４】
本発明の第４の態様に係る記録装置は、第３の態様において、前記反射光軽減手段は、複数のリブによって構成されている、ことを特徴とするものである。
【００１５】
本態様によれば、前記第１照射対象部の表面を、構成簡単にして、前記第１センサーの発光手段から照射される光を乱反射させ、その反射光を低減することができる。
【００１６】
本発明の第５の態様に係る記録装置は、第３の態様または第４の態様において、前記給送部に載置される前記媒体の幅方向の両端位置を規制するとともに、少なくとも一方が前記幅方向に移動可能な一対の媒体規制部と、前記移動可能な一方の媒体規制部の他方側への移動を規制する移動規制部と、を備え、前記移動規制部に、前記第１照射対象部が形成されている、ことを特徴とするものである。
【００１７】
本発明の第６の態様に係る記録装置は、第２の態様において、前記記録装置本体の外観を構成する筐体の上面部側に、前記媒体が前記給送部に載置される際に当該媒体を案内するとともに、前記第１媒体案内部に連なる第２媒体案内部を備えている、ことを特徴とするものである。
【００１８】
本態様によれば、第１媒体案内部に連なる第２媒体案内部により、前記媒体を前記給送部に一層確実に案内することができる。
【００１９】
本発明の第７の態様に係る記録装置は、第１の態様から第６の態様のいずれかにおいて、前記給送部に向けてロール状媒体を挿入可能な挿入部と、前記挿入部への前記ロール状媒体の挿入の有無を検知する第２センサーと、を備え、前記第２センサーは、前記挿入部において、媒体経路を挟んで反対側に設けられる第２照射対象部に向けて光を照射する発光手段と、前記発光手段から照射された光の反射光を受光する受光手段を備え、前記第２照射対象部には、前記発光手段から照射された光の反射光を減少させる反射光軽減手段が設けられている、ことを特徴とするものである。
【００２０】
本態様によれば、媒体が前記挿入部に挿入されていない場合に、前記反射光軽減手段によって反射光が低減されるので、前記挿入部に媒体が挿入されている場合と挿入されていない場合において、前記受光手段によって受光される受光量に差を生じる構成とすることができる。このことによって、前記第２センサーにより、前記挿入部における媒体の有無を検知することができる。
【００２１】
本発明の第８の態様に係る記録装置は、第７の態様において、前記第２センサーは前記挿入部における媒体経路の下側に設けられるとともに、前記挿入部は前記媒体経路の上側において前記第２センサーを覆う庇部材を備え、前記庇部材に前記第２照射対象部が形成されている、ことを特徴とするものである。
【００２２】
本態様によれば、前記挿入部における媒体経路の下側に設けられる前記第２センサーを庇部材によって覆うとともに、前記庇部材に前記第２照射対象部が形成されているので、前記第２センサーの受光手段への外部から光の影響を低減することができる。また、前記庇部材によって、前記ロール状媒体の巻癖によるカールを押えることが可能となる。
【００２３】
本発明の第９の態様に係る記録装置は、第７の態様または第８の態様において、前記挿入部を通らない前記媒体は、前記第２センサーによって検知されないように構成されている、ことを特徴とするものである。
【００２４】
本態様によれば、前記第２センサーは、前記挿入部を通らない媒体、すなわち、ロール状媒体以外の媒体（例えば単票紙等）を検知しないため、第２センサーが確実に前記ロール状媒体を検知し、その有無を判断することができる。
【図面の簡単な説明】
【００２５】
【図１】（Ａ）は、本発明に係る記録装置の外観を表す斜視図であり、（Ｂ）は、上面カバーが開いた状態の記録装置を背面側から見た斜視図。
【図２】本発明に係る記録装置の側断面図。
【図３】（Ａ）は、本発明に係る記録装置の要部拡大斜視図、（Ｂ）は、（Ａ）においてフレームを外した状態を示す図。
【図４】（Ａ）は、図３（Ａ）を他の方向から見た斜視図、（Ｂ）は、（Ａ）においてフレームを外した状態を示す図。
【図５】（Ａ）は装着部材とフレームの取り付け前の状態を示す図、（Ｂ）は、装着部材をフレームに取り付けた状態を示す図。
【図６】（Ａ）は、媒体セット部の一部を表す斜視図、（Ｂ）は、（Ａ）の拡大斜視図。
【図７】装着部材の要部拡大斜視図。
【図８】（Ａ）は、本発明に係る記録装置の断面斜視図、（Ｂ）は（Ａ）を他の方向から見た斜視図。
【図９】本発明に係る記録装置の要部を表す側断面図。
【図１０】図９のＡ−Ａ矢視断面図。
【図１１】（Ａ）は、本発明に係る記録装置の上面カバーが開いた状態の斜視図、（Ｂ）は、（Ａ）において庇部材を外した状態を示す図。
【図１２】（Ａ）は、ロール状媒体の挿入部を装置背面下方側から見た図、（Ｂ）は、ロール状媒体の挿入部を装置背面上方側から見た図。
【図１３】庇部材を下側から見た図。
【図１４】第２センサー周辺の拡大斜視図。
【図１５】（Ａ）は、本発明に係る記録装置の要部を表す斜視図、（Ｂ）は、（Ａ）において基板を外した状態を示す拡大斜視図。
【発明を実施するための形態】
【００２６】
以下において、本発明の一実施形態に係る記録装置について、添付図面を参照して説明する。尚、本発明はこれらによって制約されるものではない。
【００２７】
［実施例１］
まず、本発明の一実施例に係る記録装置１の概略について説明する。本実施例の記録装置１の一例として、インクジェット式プリンターを例に挙げる。  
図１（Ａ）は、本発明の一実施例に係る記録装置の外観を表す斜視図であり、（Ｂ）は、上面カバーが開いた状態の記録装置を背面側から見た斜視図である。図２は、本発明に係る記録装置の側断面図である。図３は、（Ａ）は、本発明に係る記録装置の要部拡大斜視図、（Ｂ）は、（Ａ）においてフレームを外した状態を示す図である。図４は、（Ａ）は、図３（Ａ）を他の方向から見た斜視図、（Ｂ）は、（Ａ）においてフレームを外した状態を示す図である。図５は、（Ａ）は装着部材とフレームの取り付け前の状態を示す図、（Ｂ）は、装着部材をフレームに取り付けた状態を示す図である。図６は、（Ａ）は、媒体セット部の一部を表す斜視図、（Ｂ）は、（Ａ）の拡大斜視図である。図７は、装着部材の要部拡大斜視図である。
【００２８】
図８は、（Ａ）は、本発明に係る記録装置の断面斜視図、（Ｂ）は（Ａ）を他の方向から見た斜視図である。図９は、本発明に係る記録装置の要部を表す側断面図である。図１０は、図９のＡ−Ａ矢視断面図である。図１１は、（Ａ）は、本発明に係る記録装置の上面カバーが開いた状態の斜視図、（Ｂ）は、（Ａ）において庇部材を外した状態を示す図である。図１２は、（Ａ）は、ロール状媒体の挿入部を装置背面下方側から見た図、（Ｂ）は、ロール状媒体の挿入部を装置背面上方側から見た図である。図１３は、庇部材を下側から見た図である。図１４は、第２センサー周辺の拡大斜視図である。図１５は、（Ａ）は、本発明に係る記録装置の要部を表す斜視図、（Ｂ）は、（Ａ）において基板を外した状態を示す拡大斜視図である。
【００２９】
記録装置１は図１に示すように、該記録装置１の本体となる筐体２、筐体２の上面部６（図２を参照）を開閉する上面カバー３、および筐体２の図１における前面（＋Ｙ方向側の側面）側に開閉する排紙カバー４によって、その外観が構成されている。  
なお、各図において示すＸ−Ｙ−Ｚ座標系はＸ方向が記録ヘッドの走査方向、Ｙ方向が記録装置の奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。  
また、記録装置１において媒体が搬送されていく方向を「下流」といい、これと反対の方向を「上流」という場合がある。
【００３０】
図２に示すように、記録装置１の背面側には、媒体としての用紙Ｓを下流側へ給送する給送部７が設けられており、給送部７を構成するホッパー１３に用紙Ｓが載置されて傾斜姿勢に支持される。  
上面カバー３は、開状態において給送部７にセットされる用紙Ｓ（例えば単票紙Ｐ）を支持面１２で支持するように構成されている。
【００３１】
実施例１に係る記録装置１は、単票紙Ｐに対して記録を行う他、ロール紙Ｒに対しても記録を行うように構成されており、筐体２の背面側、すなわち、給送部７の媒体搬送方向上流側（−Ｙ側）に着脱自在に取り付けられるロール紙ユニット５からロール紙Ｒを送り、ロール紙Ｒへの記録を行うことができる。
【００３２】
ロール紙ユニット５内にはロール軸に巻かれたロール紙Ｒが納められている。ロール紙ユニット５から送り出されるロール紙Ｒの先端は、上部カバー３の下流側端部側に設けられた挿入部１０に、上部カバー３の支持面１２の背面９側から挿入される。そして、ロール紙Ｒの先端は、上部カバー３と筐体２との間を通る形で支持面１２側に出されて、ホッパー１３にセットされるように構成されている。挿入部１０には、ロール紙Ｒの挿入を検知する第２センサー５０が設けられている。尚、挿入部１０と第２センサー５０については、後に詳述する。
【００３３】
次に、図２を用いて記録装置１の内部構造の概略を説明する。尚、図２には単票紙Ｐとロール紙Ｒの搬送経路が示してある。ロール紙Ｒの搬送経路と単票紙Ｐの搬送経路は、例えば符号２５の合流位置において合流するように構成されている。  
記録装置１において、媒体としての単票紙Ｐ、ロール紙Ｒは、図２の＋Ｙ方向へ搬送される構成である。
【００３４】
筐体２の内部には、単票紙Ｐ、ロール紙Ｒ等の媒体に液体を吐出して記録を行う記録ヘッド１７を備えたキャリッジ１６が、媒体搬送方向（＋Ｙ方向）と交差する方向（Ｘ軸方向）に往復動するように設けられている。キャリッジ１６には、記録を行うための液体（例えばインク）を記録ヘッド１７に供給するための液体収納体２０が搭載されている。
【００３５】
単票紙Ｐ、ロール紙Ｒ等の用紙Ｓは、給送部７の給送ローラー１４により搬送方向下流に向けて給送される。  
給送部７には、給送部７にセットされる媒体Ｓの幅方向（図のＸ軸方向）の両側端をガイドするエッジガイド部１１ａ、エッジガイド部１１ｂが設けられている［図２、図６（Ａ）を参照］。本実施例において、エッジガイド部１１ａ［図６（Ａ）］は、媒体Ｓのサイズに応じてユーザーが操作して、Ｘ軸方向にスライド移動可能に設けられている。  
また、他端側のエッジガイド部１１ｂは、例えばラックピニオン機構により、エッジガイド部１１ａと同期してスライド移動するように設けることができる。  
尚、エッジガイド部１１ａ、エッジガイド部１１ｂは、一方のみが可動であり、他方が固定されている構成であってもよい。
【００３６】
エッジガイド部１１ａ、エッジガイド部１１ｂは、規制部４５により、それぞれが所定以上他方側へ移動するのを規制するように構成されている。尚、規制部４５は、エッジガイド部１１ａ、エッジガイド部１１ｂの移動を規制すると同時に、載置面１５を成している。
【００３７】
また、筐体２の内部には、キャリッジ１６の移動方向に延設されるフレーム３０が設けられている。  
フレーム３０は、図２に示すように断面視において上下方向に延びるとともに、上部が装置背面側（−Ｙ方向側）にＬ字状に折り曲げられた形状を成し、下部が装置前面側（＋Ｙ方向側）にＬ字状に折り曲げられた形状を成している。このフレーム３０には、給送ローラー１４を含む給送部７が取り付けられる。また、キャリッジをその移動方向にガイドするガイドフレーム３１（図２、図４を参照）や、キャリッジ１７を駆動するモーター（不図示）等の種々の構成部材が組み付けられる。
【００３８】
また、記録装置１は、給送部７において用紙Ｓの有無を検知する第１センサー４０を備えている。より具体的には、第１センサー４０は、ホッパー１３の載置面１５に用紙Ｓが載置されたことを検知する。第１センサー４０は、装着部材３２によってフレーム３０に取り付けられている。尚、第１センサー４０および装着部材３２については後に詳述する。
【００３９】
給装部７から送られる用紙Ｓは、搬送駆動ローラー２１と搬送従動ローラー２２を備えた媒体搬送手段２３によって挟圧された状態で、記録ヘッド１７の下方（−Ｚ方向側）の記録位置に搬送される。  
記録ヘッド１７の下方には、記録ヘッド１７と対向して記録ヘッド１７の液体吐出面と用紙Ｓとの間の用紙ギャップを規定する支持部材１８（プラテン）が設けられている。記録ヘッド１７と支持部材１８との間において、用紙Ｓに記録ヘッド１７から液体（インク）を吐出することによって記録が実行される。
【００４０】
記録ヘッド１７の搬送方向下流側には、排出駆動ローラー２６と排出従動ローラー２７とを備える媒体排出手段２８が設けられている。  
また、記録ヘッド１７と媒体排出手段２８の間には、回転体２９が設けられている。回転体２９は、記録ヘッド１７から媒体排出手段２８へ至る用紙Ｓの搬送経路上に、用紙Ｓの記録面と接して従動回転するよう設けられることで、用紙Ｓの支持部材１８からの浮き上がりを防止して用紙Ｓと記録ヘッド１７との距離を一定に保つ機能を果たす。  
記録後の用紙Ｓは，媒体排出手段２８によって下流側に送られて媒体排出部１９から排出され、開状態の排紙カバー４上に載置されるように構成されている。
【００４１】
また、筐体２の上面部６には、メニューやエラー等の各種情報を表示する液晶ディスプレイ８の他、操作ボタン類を配置した操作パネル（不図示）が設けられている。  
また、開いた状態で支持面１２に単票紙Ｐを支持する上面カバー３は、その支持面１２がホッパー１３の載置面１５の傾斜に沿うように構成されている。  
以上が記録装置１の内部構造の概略である。
【００４２】
次に、前述した第１センサー４０と第１センサー４０をフレーム３０に取り付ける装着部材３２について、図２〜図１０を用いて更に詳しく説明する。  
第１センサー４０としては、光を照射する発光部４１［図３（Ｂ）］と、発光部４１から照射された光の反射光を受光する受光部４２［図３（Ｂ）］を備える光センサーが用いられる。  
発光部４１は、載置面１５の発光部４１と対向する位置に設けられる第１照射対象部４３［図２、図６（Ａ）、および図８（Ｂ）］に向けて光を照射するように構成されているとともに、第１照射対象部４３は、給送部７を成すホッパー１３の載置面１５の他の部分に比べてその表面粗さが大きく形成されている。
【００４３】
本実施例において、第１照射対象部４３は、載置面１５を成す規制部４５上に設けられている。また、第１照射対象部４３には、反射光軽減手段としての複数のリブ４４［図６（Ｂ）］が設けられている。
【００４４】
第１センサー４０は、用紙Ｓが載置面１５に載置されている場合には、用紙Ｓの面に対して発光部４１から光を照射するとともに、用紙Ｓの前記面からの反射光を受光部４２で受光する。尚、発光部４１から照射される光は、用紙Ｓの面でその照射方向のほぼ逆方向に反射する。  
一方、用紙Ｓが載置面１５に載置されていない場合に、第１照射対象部４３に向けて光が照射されると、第１照射対象部４３に照射された光は複数のリブ４４に当たって乱反射し、第１照射対象部４３における反射光が減少する。その結果、受光部４２によって受光される受光量は、用紙Ｓが載置されている場合よりも少なくなる。すなわち、載置面１５に用紙Ｓがある場合とない場合において、受光部４２によって受光される受光量に差が生じる。この受光量に差によって、第１センサー４０は、載置面１５における用紙Ｓの有無を検知することができる。
【００４５】
尚、反射光軽減手段は、第１照射対象部に対して照射された光が乱反射するような加工、或いは、反射率が低くなるような加工を施すことによって設けることができる。例えば、第１照射対象部４３の表面粗さを大きく形成する。第１照射対象部４３の表面を粗くして光が乱反射する構成は、リブ４４に限られないが、規制部４５を樹脂材料で形成する場合には、成形加工時に簡単にリブ４４を設けることができるので好ましい。また、リブ４４の形状は、図６に示すようなギザ形状の他、波形状等であってもよい。
【００４６】
第１センサー４０は、前述のように装着部材３２（図３、図４を参照）によってフレーム３０に取り付けられている。また、装着部材３２は、給送ローラー１４の少なくとも一部を覆うローラーカバー３３を備えている。本実施例では、ローラーカバー３３によって給送ローラー１４の上方側が覆われるように構成されている。
【００４７】
装着部材３２は、図５（Ａ）に示すように、＋Ｙ側の面に突起部３７ａ、突起部３７ｂを備えている。また、フレーム３０は、＋Ｙ側から見た平面視においてＬ字形状を成す取付孔３８ａ、取付孔３８ｂを備えている。装着部材３２は、突起部３７ａ、突起部３７ｂを、フレーム３０の取付孔３８ａ、取付孔３８ｂのＬ字に沿って挿入することによって位置決めされた後、ネジ３９によってフレーム３０に固定される［図５（Ｂ）］。尚、装着部材３２における符号４８とフレーム３０における符号４９は、それぞれネジ３９のネジ孔である。尚、符号７１は、第１センサー４０と、後述する基板７０とを接続するケーブルである。
【００４８】
更に、装着部材３２は、用紙Ｓが給送部７に載置される際に、用紙Ｓを案内する第１媒体案内部３４を備えている。  
第１媒体案内部３４の上部は櫛歯状に形成されており、筐体２の上面部６側に設けられる櫛歯状の第２媒体案内部３６（図１０を参照）と係合するように構成されている。第２媒体案内部３６は、上面部６側の第１媒体案内部３４に連なる位置に設けられている。本実施例では、図８（Ａ）および図９に示すように、上面部６に配置されるチルト式の液晶ディスプレイ８の下方に第２媒体案内部３６が設けられている。
【００４９】
装着部材３２が以上のように構成されたことにより、以下の作用効果が得られる。  
用紙Ｓの有無を検知する第１センサー４０が、装着部材３２を介してフレーム３０に装着されているので、第１センサー４０に対し、給送ローラー１４の動作による振動が伝わり難くい。以って、給送ローラー１４の動作が第１センサー４０の用紙検出精度に影響を与える虞を低減し、第１センサー４０による用紙検出の確実性を高めることができる。  
加えて、装着部材３２は、給送ローラー１４の少なくとも一部を覆うローラーカバー３３を備えているので、給送ローラー１４へのインクミストの付着を抑制することができるとともに、部品点数の削減が可能であり、装置のコンパクト化を実現することができる。
【００５０】
更に、装着部材３２は、用紙Ｓが給送部７に載置される際に用紙Ｓを案内する案内部（第１媒体案内部３４）を備えるので、部品点数を削減できるとともに、装置のコンパクト化を実現することができる。  
加えて、第１媒体案内部３４に連なる第２媒体案内部３６を備えることにより、用紙Ｓを給送部７に一層確実に案内することができる。
【００５１】
＜装着部材における他の構成＞  
次に、装着部材３２における他の構成について説明する。  
記録装置１は、給紙部７における載置面１５に用紙Ｓとしての単票紙Ｐを複数枚載置し、最上位の単票紙Ｐが給送ローラー１４により下流側に送られる際に、単票紙Ｐの重送を防ぐ紙戻しレバー４７（図９を参照）を備えている。紙戻しレバー４７は、Ｘ軸方向に延びる回動軸（不図示）の回転により回動可能に構成されるとともに、その回動動作により、給送ローラー１４により送られる最上位の単票紙Ｐ以外の単票紙Ｐ（以下、次位の単票紙Ｐと称する）を上流側に押し戻す。
【００５２】
ここで、例えば、ホッパー１３の載置面１５上に複数枚載置された単票紙Ｐの枚数が少なくなると、載置面１５の下流側が給送ローラー１４（図２）側に近づくようにホッパー１３が押し上げられる（図９の矢印Ｂ方向）。このとき、前記最上位の単票紙Ｐ以外の用紙が、紙戻しレバー４７の上を超えて、紙の重送が発生する虞がある。
【００５３】
装着部材３２は、図３に示すように、薄膜状の樹脂フィルムによって形成される補助部材３５を備えている。補助部材３５は、図７に示すように、装着部材３２にネジ７６によって取り付けられている。  
また、補助部材３５は、その一部が紙戻しレバー４７と高さ方向（Ｚ軸方向）にオーバーラップする位置に配設される（図９）。
【００５４】
補助部材３５が設けられることにより、次位の単票紙Ｐは、紙戻しレバー４７の上方を超える前に補助部材３５に接触し、その給送が抑制されるとともに、次位の単票紙Ｐの先端が下方側に誘われ、紙戻しレバー４７に接触する。次位の単票紙Ｐが紙戻しレバー４７と接触した後は、紙戻しレバー４７の回動によって上流側に押し戻される。  
このように、補助部材３５によって、単票紙Ｐの重送を一層効果的に抑制することができる。
【００５５】
次に、挿入部１０と、挿入部１０に設けられる第２センサー５０について、図１１〜図１４を用いて更に詳しく説明する。  
図１１（Ｂ）に示すように、挿入部１０には、ロール紙Ｒの挿入の有無を検知する第２センサー５０が設けられている。  
第２センサー５０としては、第１センサー４０と同様の構成の光センサーを用いることができる。第２センサー５０は、挿入部１０において、用紙経路を挟んで反対側に設けられる第２照射対象部５３［図１２（Ａ）を参照］に向けて光を照射する発光部５１（図１４）と、発光部５１から照射された光の反射光を受光する受光部５２（図１４）を備えている。
【００５６】
本実施例において、第２センサー５０は、図１２（Ｂ）に示すように挿入部１０における用紙経路の下側に設けられているとともに、挿入部１０には、第２センサー５０の上方を覆う庇部材６０［図１１（Ａ）］が設けられており、挿入部１０を通らない媒体（例えば、単票紙Ｐ）は、第２センサー５０によって検知されないように構成されている。  
庇部材６０において第２センサー５０と対向する領域［図１２（Ａ）の点線で囲った部分］が第２照射対象部５３である。
【００５７】
第２照射対象部５３には、反射光軽減手段としてのリブ５４が設けられており、これにより、ロール紙Ｒが挿入部１０に挿入されていないときに発光部５１から照射される光が第２照射対象部５３に当たったときに、その反射光が減少するとともに、前記受光部５２における受光量が、ロール紙Ｒが挿入部１０に挿入されている場合よりも減少する。  
すなわち、挿入部１０にロール紙Ｒが挿入されている場合とない場合において、受光部５２によって受光される受光量に差が生じる。この受光量に差によって、第２センサー５０は、挿入部１０におけるロール紙Ｒの有無を検知することができる。
【００５８】
また、本実施例においては、挿入部１０の第２照射対象部５３と同じ側、すなわち、庇部材６０の裏側（−Ｚ側）に、第２照射対象部５３と同様にリブ５４がロール紙Ｒの幅方向（Ｘ軸方向）に延設されている［図１２（Ａ）、図１３］。  
更に、挿入部１０の第２センサー５０と同じ側にも、第２センサー５０からロール紙Ｒの幅方向（Ｘ軸方向）に延びる領域にリブ５４と同様のリブ５５が設けられている［図１２（Ｂ）、図１４］。
【００５９】
ロール紙Ｒを挿入する挿入部１０には、通常、１枚のロール紙Ｒが挿入されるので、挿入部１０の高さ方向（Ｚ軸方向）の幅は狭く設定される。したがって、第２センサー５０の発光部５１と第２照射対象部５３との距離は近くなる。  
発光部５１と第２照射対象部５３の距離が近いと、第２照射対象部５３において乱反射した光が挿入部１０の他の部分に更に反射し、受光部５２に受光される虞がある。
【００６０】
挿入部１０の第２照射対象部５３側、或いは第２センサー５０側の、ロール紙Ｒの幅方向に延びる領域に、第２照射対象部５３と同様に反射光軽減手段としてのリブ５４、リブ５５を形成して光を乱反射させることが可能な部分を設けることにより、ロール紙Ｒが挿入部１０にない場合に、発光部５１から照射される光を確実に乱反射させ、受光部５２が反射光を受光する虞を低減することができる。  
以って、第２センサー５０の用紙検出精度を高めることができる。
【００６１】
尚、本実施例においては、第２照射対象部５３または第２センサー５０からロール紙Ｒの幅方向に延びる領域に、第２照射対象部５３と同じリブ５４、リブ５５を設ける構成としたが、第２照射対象部５３と同様に光を乱反射させることができる構成であれば、全く同じ形状に限られない。
【００６２】
また、庇部材６０によって、第２センサー５０の受光部５２に記録装置１の外部から光が入る虞を低減することができる。更に、庇部材６０によって、ロール紙Ｒの巻癖によるカールを押えることが可能である。  
また、庇部材６０によって覆われた第２センサー５０は、挿入部１０を通らない媒体Ｓ、すなわち、ロール紙Ｒ以外の媒体（例えば単票紙Ｐ）を検知しないため、第２センサー５０が確実にロール紙Ｒを検知し、その有無を判断することができる。  
第２センサー５０は、図２に示すように、鉛直方向（Ｚ軸方向）に対して用紙Ｓの搬送方向下流側に傾いていることが好ましい。このことによって、第２センサー５０を記録装置１の内部側に向けて配置することができる。以って、第２センサー５０が記録装置１の外部からの光の影響を受け難い構成とすることができる。
【００６３】
尚、記録装置１には、図１５（Ａ）に示すように、筐体２（図２を参照）における背面側の壁面に沿って基板７０が設けられており、第１センサー４０はケーブル７１を介して、基板７０側の接続部７３に接続されている。また、第２センサー５０は、ケーブル７２を介して、第２センサー５０側の接続部７５［図１５（Ｂ）］と基板７０側の接続部７４とが接続されている。
【００６４】
尚、本発明は上記実施例に限定されることなく、特許請求の範囲に記載した発明の範囲内で種々の変形が可能であり、それらも本発明の範囲内に含まれるものであることは言うまでもない。
【符号の説明】
【００６５】
１  記録装置、２  本体、３  上面カバー、４  排紙カバー、
５  ロール紙ユニット、６  上面部、７  給送部、
８  液晶ディスプレイ、９  背面、１０  挿入部、
１１ａ、１１ｂ  エッジガイド部  、１２  支持面、１３  ホッパー、
１４  給送ローラー、１５  載置面、１６  キャリッジ、
１７  記録ヘッド、１８  支持部材、１９  媒体排出部、
２０  液体収納体、２１  搬送駆動ローラー、２２  搬送従動ローラー、
２３  媒体搬送手段、２５  合流位置、２６排出駆動ローラー、
２７  排出従動ローラー、２８  媒体排出手段、２９  回転体、
３０  フレーム、３１  ガイドフレーム、３２  装着部材、
３３  ローラーカバー、  ３４  第１媒体案内部、３６  第２媒体案内部、
４０  第１センサー、４１  発光部、４２  受光部、４３  第１照射対象部、
４４  リブ（反射光軽減手段）、４５  規制部、
５０  第２センサー、５１  発光部、５２  受光部、５３  第２照射対象部、
５４  リブ（反射光軽減手段）、５５リブ（反射光軽減手段）、
６０  庇部材、７０  基板、７１  ケーブル、７２  ケーブル、
Ｓ  用紙、Ｐ  単票紙、Ｒ  ロール紙
【図１】
0006394869.tif 000002
【図２】
0006394869.tif 000003
【図３】
0006394869.tif 000004
【図４】
0006394869.tif 000005
【図５】
0006394869.tif 000006
【図６】
0006394869.tif 000007
【図７】
0006394869.tif 000008
【図８】
0006394869.tif 000009
【図９】
0006394869.tif 000010
【図１０】
0006394869.tif 000011
【図１１】
0006394869.tif 000012
【図１２】
0006394869.tif 000013
【図１３】
0006394869.tif 000014
【図１４】
0006394869.tif 000015
【図１５】
0006394869.tif 000016